(57)【特許請求の範囲】
【請求項１】
透明材で形成された前面パネルと、前記前面パネルの裏面の長手方向に一体に成形されたリブと、左右方向に移動し光を照射する発光素子とを有し、前記発光素子から照射される光を前記リブを通して前記前面パネルの表面に導く空気調和機の室内ユニットにおいて、前記前面パネルの表面の前記リブに相対する位置を表示部とし、前記リブの長さを前記表示部の長さよりも長くし、前記表示部の端部に相対する前記リブに切欠きを設けたことを特徴とする空気調和機の室内ユニット。
【請求項２】
表示部に溝部又は突部を設けた請求項１に記載の空気調和機の室内ユニット。
【請求項３】
リブの反発光素子側の面を不透明材で覆った請求項１又は２に記載の空気調和機の室内ユニット。
【請求項４】
前面パネルの裏面に塗料を施した請求項１〜３のいずれか１項に記載の空気調和機の室内ユニット。
【請求項５】
リブの所定の位置に設けられると共に前面パネルの裏面から所定の距離だけ離れた位置に配された第１の係止部と、前記前面パネルの所定の位置に設けられた第２の係止部と、前記前面パネルを室内ユニット本体に開閉自在に支持するアーム装置とを備え、前記アーム装置を、前記第１の係止部と前記第２の係止部とで係止するようにした請求項１〜４のいずれか１項に記載の空気調和機の室内ユニット。
【発明の詳細な説明】
【技術分野】
【０００１】
本発明は、空気調和機の室内ユニットに関するものである。
【背景技術】
【０００２】
従来の空気調和機の室内ユニットについて、図１１、１２を参照しながら説明する。
【０００３】
従来の空気調和機の室内ユニット１は、図１１、１２に示すように、台枠１ａと、前面枠２と前面パネル３を組み合わせて外郭を構成するとともに、前面パネル３には、光で運転状態を表示する表示部１４を備えている。前面パネル３には、光を通す開口部１５と、飾り台１６を固定するための引っ掛け部１７が設けられ、飾り台１６には、前面パネル３の引っ掛け部１７に相対する位置に爪部１８を設け固定し、表示部１４を構成している（例えば、特許文献１参照）。
【特許文献１】特開２０００−１９３２６８号公報
【発明の開示】
【発明が解決しようとする課題】
【０００４】
しかしながら、前記従来の空気調和機の室内ユニットの構成では、長い範囲で表示部１４内の発光素子（図示せず）を移動させる場合、前面パネル３の開口部１５の範囲も長くせねばならず、前記前面パネル３の開口部１５に飾り台１６を爪固定するだけでは、前記前面パネル３や前記飾り台１６のたわみによって、爪固定部がはずれやすいといった課題を有していた。また、前記前面パネル３の開口部１５につなぎ形状を設けたとしても、その部分が光を通さずデザイン性を損ねるといった課題を有していた。
【０００５】
本発明は、前記従来の課題を解決するもので、安価な構成で、長範囲で発光素子の移動ができる表示構成とし、デザイン性に優れた空気調和機の室内ユニットを提供することを目的とする。
【課題を解決するための手段】
【０００６】
前記従来の課題を解決するために、本発明の空気調和機の室内ユニットは、透明材で形成された前面パネルと、前面パネルの裏面の長手方向に一体に成形されたリブと、左右方向に移動し光を照射する発光素子とを有し、発光素子から照射される光をリブを通して前面パネルの表面に導く空気調和機の室内ユニットにおいて、前面パネルの表面のリブに相対する位置を表示部とし、リブの長さを表示部の長さよりも長くし、表示部の端部に相対するリブに切欠きを設けたことにより、従来の飾り台を廃止し、空気調和機の室内ユニットのコストを低減することができ、発光素子の光が表示範囲を超えて表面に導かれるのを防止することができデザイン性の向上を図ることができる。
【発明の効果】
【０００７】
本発明の空気調和機の室内ユニットは、安価な構成で、長範囲に発光素子を移動させることができ、デザイン性に優れた前面パネルを提供するとともに、表示部を前面パネルと一体成形で設けることにより、飾り台が不要になり、安価に構成することができる。
【発明を実施するための最良の形態】
【０００８】
第１の発明は、透明材で形成された前面パネルと、前面パネルの裏面の長手方向に一体に成形されたリブと、左右方向に移動し光を照射する発光素子とを有し、発光素子から照射される光をリブを通して前面パネルの表面に導く空気調和機の室内ユニットにおいて、前面パネルの表面のリブに相対する位置を表示部とし、リブの長さを表示部の長さよりも長くし、表示部の端部に相対するリブに切欠きを設けたことにより、従来の飾り台を廃止し、空気調和機の室内ユニットのコストを低減することができ、発光素子の光が表示範囲を超えて表面に導かれるのを防止することができデザイン性の向上を図ることができる。
【０００９】
第２の発明は、特に、第１の発明の表示部に溝部又は突部を設けたもので、前面パネルの裏面に設けたリブが位置する範囲で、成形時に表面にヒケが発生するのを防止し、また外観上表示部をわかりやすく示すことができ、デザイン性の向上を図ることができる。
【００１０】
第３の発明は、特に、第１又は第２の発明のリブの反発光素子側の面を不透明材で覆ったもので、リブ近傍に照射される発光素子の光の拡散を防ぎ、リブを通して表面の表示部に光を導きやすくし、デザイン性の向上を図ることができる。
【００１１】
第４の発明は、特に、第１〜３のいずれか一つの発明の前面パネルの裏面に塗料を施したもので、前面パネル裏面のリブの根元部分には塗料が施せないので、表面からみると表示部だけが透明で残こされ表示部と周囲との区別化ができ、デザイン性にすぐれた前面パネルを提供することができる。
【００１２】
第５の発明は、特に、第１〜４のいずれか一つの発明のリブの所定の位置に設けられると共に前面パネルの裏面から所定の距離だけ離れた位置に配された第１の係止部と、前記前面パネルの所定の位置に設けられた第２の係止部と、前記前面パネルを室内ユニット本体に開閉自在に支持するアーム装置とを備え、前記アーム装置を、前記第１の係止部と前記第２の係止部とで係止するようにしたもので、室内ユニット本体に対し前面パネルを開閉自在に取り付けられると共に、前面パネルの裏面への塗装作業が容易で、アーム装置を、裏面に塗料を施した前面パネルに容易に取り付けられる。また、アーム装置等の凸形状が前面パネルの表面に顕れない部分に構成されているため、表面から見た時に前面パネル全体に裏面塗装されているように見え、デザイン性にすぐれたものとなる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における空気調和機の室内ユニットの斜視図、図２は、同室内ユニットの部分断面図、図３は、同室内ユニットの前面パネルの裏面斜視図、図４は、同室内ユニットの表示部の詳細断面図である。尚、上記従来の空気調和機の室内ユニットと同一部分については同一符号を付して、その詳細説明を省略する。
【００１５】
本実施の形態における空気調和機の室内ユニットは、図１〜図４に示すように、前面パネル３を透明材で形成し、かつ、前面パネル３の裏面に長手方向のリブ４を一体で成形し、リブ４近傍に、光を照射する発光素子としてＬＥＤ５を設け、前面パネル３の表面でリブ４に相対する位置を表示部６としたことを特徴とするもので、これにより、安価な構成で、長範囲にＬＥＤ５を移動させることができ、しかも前面パネル３のデザイン性が向上する。又、表示部４を前面パネル３に一体成形することにより、従来の飾り台が不要になるので、見栄えがよくかつ安価な空気調和機の室内ユニットを提供することができる。
【００１６】
（実施の形態２）
図５は、本発明の第２の実施の形態における空気調和機の室内ユニットの要部断面図である。尚、上記従来例及び第１の実施の形態における空気調和機の室内ユニットと同一部分については同一符号を付して、その詳細説明を省略する。
【００１７】
本実施の形態における空気調和機の室内ユニットは、図５に示すように、前面パネル３の表示部６のリブ４が位置する部分に溝部７を形成したことを特徴とするもので、これにより、前面パネル３の裏面のリブ４に位置する範囲で表面にヒケが発生するのを防止できると共に、外観上、表示部６が表示する部分であることがよりわかりやすくなり、デザイン性の向上を図ることができる。尚、特に図示しないが、溝部７に代え、突部を形成して
も、同様の効果が得られる。
【００１８】
（実施の形態３）
図６は、本発明の第３の実施の形態における空気調和機の室内ユニットの要部断面図である。尚、上記従来例及び実施の形態における空気調和機の室内ユニットと同一部分については同一符号を付して、その詳細説明を省略する。
【００１９】
本実施の形態における空気調和機の室内ユニットは、図６に示すように、リブ４の一の面４ａ（ＬＥＤ５に面する側と反対側の面）を不透明材８で覆ったことを特徴とするもので、これにより、リブ４近傍に照射されるＬＥＤ５の光の拡散を防ぐと共に、リブ４を通して表面の表示部６に光を導きやすくし、デザイン性の向上を図ることができる。
【００２０】
（実施の形態４）
図７は、本発明の第４の実施の形態における空気調和機の室内ユニットの前面パネルの裏面斜視図である。尚、上記従来例及び実施の形態における空気調和機の室内ユニットと同一部分については同一符号を付して、その詳細説明を省略する。
【００２１】
本実施の形態における空気調和機の室内ユニットは、図７に示すように、リブ４の長さをＬＥＤ５の移動範囲よりも長くし、かつＬＥＤ５の表示範囲の端部に相対するリブ４の部分に切欠き９を設けたことを特徴とするもので、これにより、ＬＥＤ５の光が表示範囲を超えて表面に導かれるのを防止して、デザイン性の向上を図ることができる。
【００２２】
（実施の形態５）
図８は、本発明の第５の実施の形態における空気調和機の室内ユニットの前面パネルの裏面斜視図である。尚、上記従来例及び実施の形態における空気調和機の室内ユニットと同一部分については同一符号を付して、その詳細説明を省略する。
【００２３】
本実施の形態における空気調和機の室内ユニットは、図８に示すように、前面パネル３の裏面に塗料１０を塗布したことを特徴とするもので、これにより、裏面のリブ４の根元は塗装できないため、表面からみると表示部６だけが透明で残され、表示部６と周囲との区別化ができ、デザイン性にすぐれた前面パネル３を提供することができる。
【００２４】
（実施の形態６）
図９は、本発明の第６の実施の形態における空気調和機の室内ユニットの前面パネルの裏面斜視図、図１０は、同前面パネルの断面図である。尚、上記従来例及び実施の形態における空気調和機の室内ユニットと同一部分については同一符号を付して、その詳細説明を省略する。
【００２５】
本実施の形態における空気調和機の室内ユニットは、図９、１０に示すように、リブ４の所定の位置で、かつ前面パネル３の裏面より所定の距離だけ離れた位置に第１の係止部１１を設け、前面パネル３の所定の位置に第２の係止部１２を設け、前面パネル３の裏面に塗装を施した後に、第１の係止部１１と第２の係止部１２間に、前面パネル３を室内ユニット１に対し開閉可能にするアーム装置１３を固定したことを特徴とするもので、これにより、前面パネル３を透明材で成形し裏面塗装した場合でも、塗装の障害となるアーム装置１３等の凸形状が前面パネル３の表面部に顕れない部分に構成されているため、表面から見た時に前面パネル３全体に裏面塗装されているように見え、デザイン性にすぐれ、かつ室内ユニット１に対し開閉可能な前面パネル３を提供することができる。
【産業上の利用可能性】
【００２６】
以上のように本発明に係る空気調和機の室内ユニットは、安価な構成で、長範囲に発光
素子を移動させることができ、デザイン性に優れた前面パネルを提供するとともに、表示部を前面パネルと一体成形で設けることにより、飾り台が不要になり、安価に構成することができもので、空気調和機の室内ユニットに限らず、本体に発光素子を用いた表示部を設けた各種電気機器に広く適用できる。
【図面の簡単な説明】
【００２７】
【図１】本発明の実施の形態１における空気調和機の室内ユニットの斜視図
【図２】同室内ユニットの部分断面図
【図３】同室内ユニットの前面パネルの裏面斜視図
【図４】同室内ユニットの表示部の詳細断面図
【図５】本発明の実施の形態２における空気調和機の室内ユニットの要部断面図
【図６】本発明の実施の形態３における空気調和機の室内ユニットの要部断面図
【図７】本発明の実施の形態４における空気調和機の室内ユニットの前面パネルの裏面斜視図
【図８】本発明の実施の形態５における空気調和機の室内ユニットの前面パネルの裏面斜視図
【図９】本発明の実施の形態６における空気調和機の室内ユニットの前面パネルの裏面斜視図
【図１０】同前面パネルの断面図
【図１１】従来の空気調和機の室内ユニットの斜視図
【図１２】同室内ユニットにおける表示部の分解斜視図
【符号の説明】
【００２８】
１  室内ユニット
１ａ  台枠
２  前面枠
３  前面パネル
４  リブ
５  ＬＥＤ（発光素子）
６  表示部
７  溝部
８  不透明材
９  切欠き
１１  第１の係止部
１２  第２の係止部
１３  アーム装置
【図１】
0004631644.tif 000002
【図２】
0004631644.tif 000003
【図３】
0004631644.tif 000004
【図４】
0004631644.tif 000005
【図５】
0004631644.tif 000006
【図６】
0004631644.tif 000007
【図７】
0004631644.tif 000008
【図８】
0004631644.tif 000009
【図９】
0004631644.tif 000010
【図１０】
0004631644.tif 000011
【図１１】
0004631644.tif 000012
【図１２】
0004631644.tif 000013